(57)【要約】【課題】鮮鋭度などの画質や輝度の設定を顧客別の仕様に簡単に設定可能にすることを目的とする。【解決手段】プラズマディスプレイパネルの電極に表示データを供給するためのドライバ回路と、このドライバ回路の動作を制御する信号を出力する制御手段とを有し、前記制御手段は、輝度および画質の複数の仕様を記憶するメモリ２１と、顧客毎に異なるボードが接続されることにより顧客を判別する判断手段２３と、この判断手段２３での判別結果に基づき前記メモリ２１から所定の仕様に基づくデータを出力し、輝度・画質制御ＬＳＩ２４を制御する指令信号出力手段２５とを備えた。【選択図】図１
2005084362.tif 000002
【特許請求の範囲】
【請求項１】
プラズマディスプレイパネルの電極に表示データを供給するためのドライバ回路と、このドライバ回路の動作を制御する信号を出力する制御手段とを有し、前記制御手段は、輝度および画質の複数の仕様を記憶するデータ記憶部と、顧客毎に異なるボードが接続されることにより顧客を判別する顧客判別部と、この顧客判別部での判別結果に基づき前記データ記憶部から所定の仕様に基づくデータを出力する出力部とを備えたことを特徴とするプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
まず、プラズマディスプレイ装置におけるプラズマディスプレイパネルの構造について図５を用いて説明する。図５に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極およびサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色および青色となるように蛍光体層９が一色ずつ順次配置されている。
【０００８】
図６にこのプラズマディスプレイパネルの電極配列を示しており、図６に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
また、図７に示すように、プラズマディスプレイ装置においては、例えば特許文献１のように、図５に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、及びサブフィールド変換部１９を備えている。
【００１１】
図７の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００１２】
走査数変換部１８は、画像データをＰＤＰ１０の画素数に応じたライン数の画像データに変換し、各ライン毎の画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００１３】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００１４】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００１５】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する。
【特許文献１】特開２０００−３３８９８３号公報
【発明の開示】
【発明が解決しようとする課題】
【００１６】
ところで、このようなプラズマディスプレイ装置においては、装置の一部をプラズマディスプレイモジュールとして、他のメーカーに納入し、そのメーカーにてプラズマディスプレイ装置の完成品とすることが行われている。
【００１７】
従来、このようなプラズマディスプレイモジュールの状態で顧客に納入販売する場合、顧客の要求する仕様に個別に設定し、異なる仕様で生産し納入しなければならないという課題があった。
【００１８】
本発明はこのような課題を解決するもので、鮮鋭度などの画質や輝度の設定を顧客別の仕様に簡単に設定可能にすることを目的とするものである。
【課題を解決するための手段】
【００１９】
上記目的を達成するために本発明のプラズマディスプレイ装置は、プラズマディスプレイパネルの電極に表示データを供給するためのドライバ回路と、このドライバ回路の動作を制御する信号を出力する制御手段とを有し、前記制御手段は、輝度および画質の複数の仕様を記憶するデータ記憶部と、顧客毎に異なるボードが接続されることにより顧客を判別する顧客判別部と、この顧客判別部での判別結果に基づき前記データ記憶部から所定の仕様に基づくデータを出力する出力部とを備えたものである。
【発明の効果】
【００２０】
本発明によれば、鮮鋭度などの画質や輝度の設定を顧客別の仕様に簡単に設定可能であり、製品を生産・管理・出荷する上で機種管理の労力が削減できるという効果が得られる。
【発明を実施するための最良の形態】
【００２１】
以下、本発明の一実施の形態によるプラズマディスプレイ装置について、図１〜図４を用いて説明するが、本発明の実施の態様はこれに限定されるものではない。
【００２２】
図１に本発明の一実施の形態によるプラズマディスプレイ装置の主要部分の構成を示している。
【００２３】
まず、本発明のプラズマディスプレイ装置においても、図７に示すように、プラズマディスプレイパネルの電極に表示データを供給するために、アドレスドライバ回路、スキャンドライバ回路、サステインドライバ回路によるドライバ回路を有しており、この各ドライバ回路の動作を制御する信号を出力する放電制御タイミング発生回路などの制御手段を有している。
【００２４】
そして、本発明においては、図１に示すように、制御手段は、輝度および画質の顧客別の複数の仕様を記憶するデータ記憶部としてのメモリ２１と、顧客毎に異なるボードが接続される入力手段２２と、この入力手段２２からの信号に基づき顧客を判別する顧客判別部としての判断手段２３と、この判断手段２３での判別結果に基づき、輝度・画質制御ＬＳＩ２４に、判別された顧客の仕様で動作させるデータを出力する出力部としての指令信号出力手段２５とにより構成されている。すなわち、入力手段２２、判断手段２３および指令信号出力手段２５により顧客識別手段２６が構成され、この顧客識別手段２６により識別された顧客に対応する仕様がメモリ２１から読み出され、そしてそのデータに基づいて輝度・画質制御ＬＳＩ２４から出力される信号が変更される。また、この輝度・画質制御ＬＳＩ２４からの信号は、図７に示す放電制御タイミング発生回路などを通して、ドライバ回路に送られ、これにより顧客の仕様に応じた画質、輝度によりＰＤＰ１０の発光が制御される。
【００２５】
図２に図１に示す制御手段における入力手段２２の一例によるメーカー識別のためのポート検出部の構成を示している。図２において、２７はＰＤＰモジュール側に設けられる入力検出部、２８、２９は顧客別のボード基板であり、顧客に応じてボード基板２８、２９のいずれか一方を入力検出部２７に接続することにより、入力検出部２７の入力にはハイレベルかロウレベルのどちらかの電圧が入力されるように構成されている。すなわち、顧客に応じてボード基板２８、２９のいずれかを選択して接続することにより、どの顧客向けの製品かの識別信号が入力されるのである。
【００２６】
また、表１に、メモリ２１に記憶される具体的な仕様の一例を示している。表１に示すように、顧客毎に要求する仕様が異なる。
【００２７】
【表１】
2005084362.tif 000003
【００２８】
以上のように、顧客毎に要望される仕様が異なると、通常は図３のように各顧客毎に個別の仕様で生産・管理・出荷を行う必要がある。単純にいうと、各顧客毎に別々の機種名が存在することとなる。一方、本発明のように、顧客識別機能を持たせることにより、図４に示すように複数の顧客に対し、全く同じ仕様のものを生産・出荷できる。単純にいうと複数の顧客に対し、機種名が１つしか存在しないことになる。
【００２９】
すなわち、製品を生産・管理・出荷する上で機種管理の手間を削減することができ、生産性を向上させることができる。
【産業上の利用可能性】
【００３０】
以上のように本発明によれば、プラズマディスプレイ装置の生産性向上を図る上で有用な構成を提供することができる。
【図面の簡単な説明】
【００３１】
【図１】本発明の一実施の形態によるプラズマディスプレイ装置の主要部分の構成を示すブロック図
【図２】入力手段の一例を示すブロック図
【図３】顧客識別機能を持たない場合の機種区分イメージを示す説明図
【図４】顧客識別機能を持った場合の機種区分イメージを示す説明図
【図５】プラズマディスプレイ装置のパネルの概略構成を示す斜視図
【図６】同プラズマディスプレイ装置のパネルの電極配列を示す説明図
【図７】同プラズマディスプレイ装置の駆動回路を示すブロック回路図
【符号の説明】
【００３２】
２１  メモリ
２２  入力手段
２３  判断手段
２４  輝度・画質制御ＬＳＩ
２５  指令信号出力手段
２６  顧客識別手段
【図１】
2005084362.tif 000004
【図２】
2005084362.tif 000005
【図３】
2005084362.tif 000006
【図４】
2005084362.tif 000007
【図５】
2005084362.tif 000008
【図６】
2005084362.tif 000009
【図７】
2005084362.tif 000010